(57)【特許請求の範囲】
【請求項１】
管体の左右に塗料供給部を設けると共に、開放端の夫々には、ピグ挿入及びピグや塗料を受止める受止装置を有し、この装置を空気取入れ開閉弁，切替開閉弁を備えるヘッダーを介して吸引装置に接続し、管体の何れか一方のピグ挿入部からピグを挿入し、更にピグの進行方向面に塗料を供給し、他方側の吸引装置を起動して管内を負圧にした後、ピグ挿入側の開閉弁を操作して取入量を調整しながら空気を導入し、ピグの前後に生ずる差圧により管内のピグを吸引方向に移動させて管内面の塗装を行い受止装置でピグを受止め、吸引装置を切替えると共に、空気取入れ吸入管の開閉弁を閉じ、再び管内を負圧とし、更に反対側の空気開閉弁から空気を導入し、前記操作を繰返してピグを復路の吸引方向に移動させ、管内のピグを往復させて管内壁の塗装を行う事を特徴とした管内面塗装方法。
【請求項２】
複数の分岐枝管を備えた管体からなる配管に於いて、この配管の管体，分岐枝管の夫々管端側には塗料供給部と、夫々の開放端には、ピグ挿入部とピグ及び塗料を受止める膨大部を備えた受止め装置を設け、この各受止め装置は開閉弁を備えた吸入管，開閉弁を設けたヘッダーを介して吸引装置に接続した配管構成であって、この配管に設けた全ての開閉弁を閉じ、更生対象である一つの選択された分岐枝管の前記受止め装置から塗装ピグを挿入すると共に枝管内のピグ進行方向面に塗料を供給し、この受止め装置の他方側の吸引装置を起動して管内を負圧にした後ピグ挿入側の吸入管から開閉弁を調整しながら空気を導入し、ピグ前後に生ずる差圧により、ピグを吸引方向に推進させて管内面の塗装を行い、吸引側受止め装置でピグを受止め、吸引装置の開閉弁と、挿入側吸引装置の開閉弁を切り替え、しかも空気導入を停め再び管内を負圧として、前後空気の導入で前記操作を繰返し、ピグを復路の吸引方向に移動させ更生管内を往復させて塗装を行う事を特徴とした管内面塗装方法。
【発明の詳細な説明】
【０００１】
【発明の属する技術分野】
本発明は、配管内の更生を行う塗装において、更生対象の管体に挿入した塗装ピグを管内で往復移動させ、均一で塗りムラの無い塗装を行う管内面塗装方法に関するものである。
【０００２】
【従来の技術】
ビル，マンション等に布設される給水管，排水管は長年使用すると管内面に錆や腐食が発生し、機能が低下し使用に耐えられなくなる。従ってこの機能障害の生じる前に新しい管に交換する事が望ましいが、管の交換は長期に亘る断水等の支障を伴い、更には、交換には高価な費用を要する。そこで、既設された配管を動かすこと無くそのままの状態で管内部の錆や付着した異物を除去し，内面を研磨した後，管内面に防錆塗被膜を形成する更生方法が採用されている。
【０００３】
これ等配管の更生には各種の工法が用いられ、圧縮空気を用いた押出式の方法、即ち、一端から圧縮空気を導入し、この高速気流に研磨材を投入し圧送したり、研磨ピグを圧送して錆や付着物を除去した後、同じように圧送空気をもって、塗料と塗料の後部に塗装用ピグを挿入し、これ等を圧送することにより塗装を行う方法がある。
【０００４】
この押出し工法では、圧縮空気を用いる為、配管には通常の使用状態より高い圧力がかかる為、腐食して弱くなった部分に損傷を与える恐れがある等の問題があったり、研磨行程では研磨された錆や付着物がピグの前面に堆積し、ついにはピグが管内で停滞し、このピグを逆方向から圧力をかけ取除く作業が必要となったり、塗装行程ではピグ進行方向面にある塗料の量が塗装が進むにつれ減少するので、それに伴って圧送力を下げる必要が生じ調整が難しく均等な塗装が行えず操作に熟練を必要とする不都合がある。
【０００５】
出願人は上記ピグの押出方法の問題を克服する為検討を重ね、前記配管の負担が少なく、ピグが管路の途中で停滞することなく、ピグの移送する際の操作，調整が容易であるようピグ吸引方法に着目した。しかし、このピグ吸引方法では管内面塗装に際し、配管の接続部の段差等の凹部において管内を移動するピグが一方向だけに進む為塗り残しが生じる問題があった。
【０００６】
【発明が解決しようとする課題】
更生配管に負担が少なく、ピグの移送する際の操作調整が容易であり、更に管接合による段部等の塗り残りを防ぐ塗装方法を提供する。
【０００７】
【課題を解決するための手段】
本発明は斬様な実情に鑑み、この課題に対処するために創案したもので、管の左右に塗料供給部を設けると共に、両開放端の夫々にはピグ挿入及びピグや塗料を受止める受止め装置を設け、これを、空気取入れ開閉弁、切替開閉弁を備えたヘッダーを介して吸引装置に接続し、管の何れか一方のピグ挿入部からピグを挿入し、更に該ピグの進行方向に塗料を供給し他方側の吸引装置を起動して管内を負圧とした後ピグ挿入側の開閉弁を操作して空気を導入し、ピグ前後の差圧により管内を移動させて受止め装置でピグを受止め管内面に塗装を行い、更に吸引装置及び空気取入開閉弁を切替えると共に再び管内を負圧として前記作動でピグを反対方向に移動し、ピグを管内で往復させ塗装する方法を提供するものである。
【０００８】
【発明の実施の形態】
本発明の実施の形態の一例について図面を参照しながら説明する。
図１は、本発明の配管全体を示した説明図である。１は管体で、この管体１の管端側の左右に夫々管体１内に塗料を供給する開閉弁２，２ａを備えたタンク３，３ａを設けてある。また管体１の両開放端には、ピグ挿入口４，４ａ及び周囲の数個の穴を有したピグ受止管５，５ａを設けると共に塗料の受止めを行うよう膨大部６，６ａとした受止め装置７，７ａを設けてある。
８，８ａはヘッダーで、このヘッダー８，８ａには開閉弁９，９ａを設けた吸入管１０，１０ａ及び加圧調整弁１１，１１ａ、開閉弁１２，１２ａを備えて前記受止め装置７，７ａに接続されると共に集塵装置１３，１３ａを介して吸引装置１４，１４ａに夫々接続する。受止め装置７，７ａの膨大部６，６ａに設けたピグ挿入口４，４ａは夫々密閉可能にした蓋１５，１５ａを設けると共に下部には適宜残留塗料を除去する開閉弁１６，１６ａを設けてある。
なお、ここに示したものは実施の一形態であって、機能を果たすものであればこの実施形態に限定するものではない。
【０００９】
次に配管更生の塗装について述べる。
例えば膨大部７に設けたピグ挿入口４より塗布ピグＰを挿入し、また塗料タンク３の開閉弁２を開いて管体１の内面を塗装し、多少余剰の出る量の塗料を前記塗布ピグＰの前面側に供給した後、吸引装置１４ａを起動する。この時ピグ挿入側、負圧解除する全ての開閉弁は閉としている。管内の負圧が得られた後、ヘッダー８の吸入管１０の開閉弁９を微開し取入量を調整しながら外気を導入する。取入量の調整加圧調整弁１１を作動する調節計１７，１７ａの指示で調整する。
吸入管１０から導入された空気は吸引装置１４ａに向かって流れ、塗布ピグＰの前後の差圧作用で塗布ピグＰを吸引装置１４ａに向かって推進する。この時塗料はピグＰに先行して流れ、塗布ピグＰは管内面を塗装しながら移動し、ピグ受止め装置７ａ内の受止管５ａに当って停止する。
更に、ピグが停止すると吸引装置１４ａ、他方の吸引装置１４の開閉弁１２，１２ａの切替により吸引装置１４が起動し、前記吸入管１０を閉じ、前記同様負圧とした後吸入管１０ａの開閉弁９ａを微開し、調整し、吸入管１０ａから外気を導入して塗布ピグＰは吸引装置１４に向かって反転して推進し、管内面を再び塗装しながらピグ受止め装置７で停止し、管内面を塗布ピグＰを往復移動させて均一に塗装を行う。この時、余剰の塗料は集塵装置１３，１３ａや吸引装置１４，１４ａに至らないように、受止装置７，７ａの膨大部６，６ａによって受止められ、飛沫化した塗料は集塵装置で集められる。
このようにして塗装が終わると吸引装置１４を停止し、開閉弁１１を開けて負圧を解除し、管体１内を常圧にした後、塗布ピグＰを取出し、余剰塗料を開閉弁１６，１６ａを介して取除いて完了する。
【０００１０】
図３は管体に設けられた分岐枝管の塗装について述べる。
管体１には分岐された複数の分岐枝管２１（図３では分岐技管２１は一本の例を示す）を有し、この配管の管体１，分岐枝管２１の夫々には、管端側に管内に塗料を供給する開閉弁２，２ａ，２２を備えたタンク３，３ａ，２３を設け、また夫々の開放端にはピグ挿入口とピグ及び塗料受止めを行う膨大部６，６ａ，２６を設けた受止め装置７，７ａ，２７を設けてある。
また受止め装置７，７ａ，２７は夫々開閉弁９，９ａ，２９を備えた吸入管１０，１０ａ，３０と加圧調整弁１１，１１ａ，３１及び開閉弁１２，１２ａ，３２を夫々に備えたヘッダー８，８ａ，２８を介して集塵装置１３，１３ａ，３３、吸引装置１４，１４ａ，３４に接続されている。
前記膨大部６，６ａ，２６にはピグを受止める受止管及びピグ挿入取出口、塗料取除き開閉弁を設けてある。
【０００１１】
この構成において、更生対象である分岐枝管２１の選択枝管２１を塗装するには枝管２１に設けた受止め装置２７の膨大部２６から塗装ピグＰを挿入すると共に、枝管２１に設けた塗料タンク２３の開閉弁２２を開いて挿入ピグの前面に対象枝管２１の内面を塗装し多少余剰の出る塗料を供給した後、配管の全ての開閉弁を閉じ吸引装置１４を起動して管内を負圧にした後、吸入管３０から開閉弁２９を調整しながら空気を導入し空気は吸引方向に流れ、更にピグ前後に生ずる差圧によりピグＰを吸引方向に推進する。また、塗料はピグＰに先行して流れ、ピグＰにより枝管２１の内面を塗装しながら移動し受止め装置７に当って停止する。ピグＰが停止すると吸引装置１４の開閉弁１２と他方挿入側の開閉弁３２の切替を行うと共に吸入管３０の空気導入を閉じ、吸入装置３４の起動により再び管内を負圧とした後、吸入管１０から空気を調整しながら導入し空気は吸引方向に流れ、この動作を繰返してピグＰを復路の吸引方向に推進し、更生枝管２１内を往復させて塗膜を均一に塗装を行い、余剰の生じた塗料は吸引装置に至らないよう受止装置７，２７で受止められる。
塗装が終わると吸引装置２４を停止し、空気の導入を停め、加圧調整弁３１を開けて負圧を解除して管内を常圧にした後ピグＰを取出し、余剰塗料を抜取って選択枝管内の塗装は完了する。
【０００１２】
また、更に管内の内面仕上げが必要な場合には、前記の一往復塗装で用いた塗布ピグＰを取り出し、塗布ピグＰよりも軟質の塗布ピグ（例えば塗装ピグＰが硬度指標１００とすると、７０程度のもの）を用いて、前記したと同様の往復塗装操作を繰り返すことで、塗りムラが無く均一な厚さの塗膜が得られ、より完全な塗装が可能となる。
【０００１３】
【発明の効果】
本発明の管内面塗装方法は吸引方法であり操作が容易であって管に負担が少なく、管体の両開放端に設置するだけで作業性が良く、更に管体の両端に吸引装置を開閉弁を介して接続し吸引装置の切替動作でピグは管体内を吸引側に向かって移動し、往復するので管体接続部の段差凹所の塗装にも塗り残しが出来ず均一な塗膜の塗装が行われる。更に、管体の塗装距離も管体の両開閉端から塗料を供給し塗布ピグを管体内で往復して塗装するため長い距離や塗装時間の短縮及び乾燥温度管理等、多くの優れた効果を発揮できる。
【図面の簡単な説明】
【図１】本発明の一つの実施形態の一部を切欠した全体の説明図である。
【図２】図１の受止め装置の拡大図である。
【図３】本発明の分岐枝管を有した配管塗装の別の実施例の説明図である。
【符号の説明】
１                  管      体
２，２ａ，２２      開  閉  弁
３，３ａ，２３      タンク
４，４ａ            ピグ挿入口
５，５ａ，２５      ピグ受止め管
６，６ａ，２６      膨  大  部
７，７ａ，２７      受止め装置
８，８ａ，２８      ヘッダー
９，９ａ，２９      開  閉  弁
１０，１０ａ，３０  吸  入  管
１１，１１ａ，３１  加圧調整弁
１２，１２ａ，３２  開  閉  弁
１３，１３ａ，３３  集塵装置
１４，１４ａ，３４  吸引装置
１５，１５ａ        蓋
１６，１６ａ，３６  開  閉  弁
１７，１７ａ，３７  調  節  計
２１                分岐枝管
【図１】
0004540841.tif 000002
【図２】
0004540841.tif 000003
【図３】
0004540841.tif 000004